(57)【要約】【課題】例えば、結婚式の写真などにおいて、カメラマンがスナップ写真を撮影して、顧客に納品するような場合にも適した高い品質の整理収納用フォトボックスを提供する。【解決手段】一定のサイズを有する写真を多数まとめて収納可能な小箱を有し、その小箱を少なくとも２個組み合わせて収納箱に収めた構成を有する整理収納用フォトボックスであって、小箱１５は、一定サイズの写真１４が収まる平面形状と、少なくとも数十枚以上の写真１４を重ねて収められる厚さ、及び写真を出し入れするための出し入れ口１６を有するとともに、収納された写真１４の内容を外部から判別するためにインデックス手段を具備している。小箱１５は、インデックス手段として、文字、記号などの書き込み欄１８、内部に収納した写真を外部に覗かせる窓１９を有しているか、或いは、小箱１５を透明材料で形成する。【選択図】          図１
0003122920.tif 000002
【実用新案登録請求の範囲】
【請求項１】
一定のサイズを有する写真を多数まとめて収納可能な小箱を有し、その小箱を少なくとも２個組み合わせて収納箱に収めた構成を有する整理収納用フォトボックスであって、小箱は、一定サイズの写真が収まる平面形状と、少なくとも数十枚以上の写真を重ねて収められる厚さ、及び写真を出し入れするための出し入れ口を有するとともに、収納された写真の内容を外部から判別するために、インデックス手段を小箱又は収納箱に具備している整理収納用フォトボックス。
【請求項２】
小箱は、インデックス手段として、文字、記号などの書き込み欄、内部に収納した写真を外部に覗かせる窓を有しているか、或いは、小箱を透明材料で形成したことを特徴とする請求項１記載の整理収納用フォトボックス。
【請求項３】
小箱は、シート材料を折り曲げて形成することにより、開放するとシート状になる構造を有し、その小箱の開閉部を底部とし、小箱の上面に、書き込み欄、又は内部に収納した写真を覗かせる窓をインデックス手段として有している請求項１記載の整理収納用フォトボックス。
【考案の詳細な説明】
【技術分野】
【０００１】
本考案は、一定のサイズを有する写真を多数まとめて収納しておく小箱を有し、その小箱を少なくとも２個組み合わせて収納箱に収めた構成を有する収納用フォトボックスに関するものである。
【背景技術】
【０００２】
写真の整理、保存には、従来、ノートやブック形式のいわゆるアルバムが用いられてきた。アルバムは見開くことによって数枚の写真を一度に閲覧することができるが、大量に保存する場合には、台紙のページ数が厚くなり過ぎたり、台紙を増設できないアルバムでは、冊数が増加過ぎたりすることになる。従って、費用がかかることに加えて、重量の増加、アルバム整理の手間などが問題になり、スナップ写真のように枚数が多い場合には不便なことがあった。
【０００３】
例えば、結婚式において、カメラマンがスナップ写真を撮影して、顧客に納品するような場合、いわゆるサービス版同時プリントに用いられる、簡単なケースやアルバムでは、写真の重要性が高いにも拘らず、パッケージとしての質感が低く、顧客の満足を得られないという問題があった。この場合、サービス版同時プリントであるからプリント自体高価なものではないが、その中に写っているのはかけがえのないものであることを考えると、納品品質に対する配慮が望まれる。
【０００４】
写真の整理に関する先行技術では、例えば特開平９−５８１４９号はポジとネガを一緒に収納することができるフォトアルバムを開示しており、特開２００５−１７８３４３号はアルバムとビデオ又はＤＶＤを収納可能にしたアルバムとその収納ボックスを開示している。また、登録実用新案第３０７２１８４号は卓上において写真を含む小物品を整理する卓上整理ボックスを開示しているが、これらには、どのように写真を整理するかが明確には示されていない。
【０００５】
【特許文献１】特開平９−５８１４９号
【特許文献２】特開２００５−１７８３４３号
【特許文献３】登録実用新案第３０７２１８４号
【考案の開示】
【考案が解決しようとする課題】
【０００６】
本考案は上記の点に着目して成されたもので、その課題は、例えば、結婚式の写真などにおいて、カメラマンがスナップ写真を撮影して、顧客に納品するような場合にも適した高い品質の整理収納用フォトボックスを提供することである。
【課題を解決するための手段】
【０００７】
前記の課題を解決するため本考案は、一定のサイズを有する写真を多数まとめて収納可能な小箱を有し、その小箱を少なくとも２個組み合わせて収納箱に収めた構成を有する整理収納用フォトボックスについて、小箱は、一定サイズの写真が収まる平面形状と、少なくとも数十枚以上の写真を重ねて収められる厚さ、及び写真を出し入れするための出し入れ口を有するとともに、収納された写真の内容を外部から判別するために、インデックス手段を小箱又は収納箱に具備するという手段を講じたものである。
【０００８】
本考案に係るフォトボックスは、一定のサイズを有する写真を多数まとめて収納可能な小箱を複数個収納箱に収めて成るものである。この場合に対象になる写真としては、前記の例えば結婚式などにおいて、カメラマンがスナップ写真を撮影して、顧客に納品するような場合に提供される、いわゆるサービス版同時プリントである場合に、効果が顕著になる。この種の写真は、出席者全員が写っているか、より良い駒はどれか、大きく引き伸ばす駒はどれか、など検討対象にもなるものであるので、サービス版同時プリントとして、極めて多量に提供され、焼き増しの注文にも応じなければならないため長期間保管する必要があり、不出来であってもボツにしにくいものである。
【０００９】
小箱は、一定サイズの写真が収まる平面形状と、少なくとも数十枚以上、或いは百枚単位で写真を重ねて収められる厚さ、及び写真を出し入れするための出し入れ口を有する。つまり、全ての写真は、この小箱に収めて保管される。それは、多数の写真は重ねて収めることが、最も場所を取らずに済む保管方法であるからである。収納枚数は３５ミリフィルムの駒数で２４枚撮りを基準とすることにより２４枚以上、即ち数十枚以上となる。そして、いわゆるサービス版（Ｌ版）は、特に、枚数の多いサイズであり、従って、サービス版に適合した平面形状を有する小箱は、本考案の課題に最も適合したサイズである。
【００１０】
本考案において対象とする小箱は、基本的には、写真収納の目的を達することができればどのようなものでも良い。従って、出し入れの方法も様々となる。しかし、小箱としてシート材料を折り曲げて形成することにより、開放するとシート状になる構造を有し、その小箱の開閉部を底部として、箱状に形成したものは、出し入れが容易という利点を備えることになる。
【００１１】
本考案における小箱又は収納箱は、収納された写真の内容を外部から判別するためにインデックス手段を具備する。インデックス手段としては、文字、記号などの書き込み欄、内部に収納した写真を外部に覗かせる窓を有しているか、或いは、透明材料で形成したものであることが望ましい。書き込み欄には、例えば結婚式の写真の場合、式、披露宴の開始、挨拶、お色直し、ケーキカット、お開き等のシーン別、或いはテーブル別のような事項を記載する。窓を有する場合には、窓から覗かせる写真の内容がそのままインデックスとなる。
【００１２】
収納箱は、小箱を整数個、縦横に並列して収められる大きさ、形状を有する。収納箱の具体的形態も任意であるが、望ましいのはいわゆる身と蓋とから成る箱である。また、小箱、及び、収納箱の材質については、写真の嫌う湿気や紫外線を遮断又は吸収できるものであることが望ましいが、それとともに、意匠を工夫することにより、目的に応じたより高い品質を演出することにも適している。
【考案の効果】
【００１３】
本考案は上記のように構成されかつ作用するものであるから、例えば、結婚式の写真などにおいて、カメラマンがスナップ写真を撮影して、顧客に納品するような場合にも、小箱に、インデックス手段で示されるように写真を収納し、雑然とではなく、適度の整理に適し、しかも、小箱や収納箱の意匠を工夫することにより、高い品質の整理収納用フォトボックスを提供することができる。
【考案を実施するための最良の形態】
【００１４】
以下図示の実施形態を参照して、本考案に係る整理収納用フォトボックスについて、より詳細に説明する。図１Ａに示した例１において、フォトボックス１０は、収納箱の箱本体１１と、蓋１２とを有している。箱本体１１には、一定のサイズを有する写真を数十枚程度、まとめて収納可能な小箱１５を４個、田の字型に並べて収める構造である。また、図１Ｂに示した例２において、フォトボックス１０′は、小箱１５を２個、日の字型に並べて収める構造である。
【００１５】
いずれの場合にも、小箱１５は、一定サイズ、例えばサービス版の写真１４が収まる平面形状と、数十枚程度の写真を重ねて収められる厚さとを有する直方体状に形成されている（図１、図２参照）。また、写真１４を出し入れするために、出し入れ口１６を有している。図３に示した例では、小箱１５は、シート材料を折り曲げて形成されているので、開放すると１枚のシート状に拡げられる構造になっており、その小箱１５は開閉片１７を底部とし、小箱１５の上面に、書き込み欄１８をインデックス手段として有している。底部に位置する出し入れ口１６は目立たず、書き込み式にした上面のインデックス手段を引き立たせる効果を発揮する。１８′は収納箱表面に設けたインデックス手段としてのタイトルを示す。なお、小箱１５を、収納箱１０、１０′と同様の身と蓋とから成る構造にしても良い。
【００１６】
インデックス手段としては、上記し、かつ、図４Ａに示した文字、記号などを書き入れる書き込み欄１８のほかに、内部に収納した写真１４を外部に覗かせる窓１９を有しているか（図４Ｂ）、或いは、小箱１５を透明材料で形成したものとして構成することができる（図４Ｃ）。書き込み欄１８には、前記のように、例えばある祝い事などのシーン別、或いは進行順のような、写真の整理に寄与する事項を記載する。
【００１７】
インデックス手段として窓１９を有する場合には、窓１９から覗かせる写真１４の内容がそのままインデックスとなる。透明材料で形成した小箱１５についても窓１９の場合と同様に、外から透視される写真１４がインデックスになる。インデックス手段は、１種類だけを用いても良いし、また、複数の手段、例えば、書き込み欄１８、タイトル１８′、窓１９、透明材料を、同時に併せて用いても良い。
【００１８】
収納箱が、小箱１５を整数個、縦横に並列して収められる大きさ、形状を有することは既に説明したことであるが、小箱１５、及び、収納箱の材質については、写真の嫌う湿気や紫外線を遮断又は吸収できるものを使用する。また、例えば高級な材料を用いたり、形状と構造を工夫したりすることにより、目的に応じた、より高い品質を演出することができる。
【図面の簡単な説明】
【００１９】
【図１】本考案に係る整理収納用フォトボックスを示すもので、Ａは例１の斜視図、Ｂは例２の斜視図である。
【図２】図１ＡのＩＩ−ＩＩ線断面図である。
【図３】本考案における小箱を開き、写真を出し入れする状態を示す斜視図である。
【図４】本考案に適用可能なインデックス手段の例を示すもので、Ａは書き込み欄を有する小箱、Ｂは窓を有する小箱、Ｃは透明材料からなる小箱の斜視図である。
【符号の説明】
【００２０】
１０、１０′  収納箱
１１  箱本体
１２  蓋
１４  写真
１５  小箱
１６  出し入れ口
１７  開閉片
１８  書き込み欄
１８′  タイトル
１９  窓
【図１】
0003122920.tif 000003
【図２】
0003122920.tif 000004
【図３】
0003122920.tif 000005
【図４】
0003122920.tif 000006